(57)【要約】【課題】安全で低燃費の車両走行を実現する有用な走行ラインを演算し得る車両走行ライン演算装置を提供する。【解決手段】所定の道路における車両の走行ラインを演算する車両走行ライン演算装置において、所定の道路設計ツールにより作成された道路データに基づき、道路に含まれるコーナを検出し、検出されたコーナにおけるアウト・イン・アウト走行路を演算し、隣接するコーナに関して、演算されたアウト・イン・アウト走行路を連結する走行路を演算する。【選択図】図１２
2008171114.tif 000002
【特許請求の範囲】
【請求項１】
所定の道路における車両の走行ラインを演算する車両走行ライン演算装置において、
所定の道路設計ツールにより作成された道路データに基づき、道路に含まれるコーナを検出するコーナ検出手段と、
上記コーナ検出手段により検出されたコーナにおけるアウト・イン・アウト走行路を演算するアウト・イン・アウト走行路演算手段と、
上記隣接するコーナに関して、上記アウト・イン・アウト走行路演算手段により演算されたアウト・イン・アウト走行路を連結する走行路を演算する連結走行路演算手段と、を有していることを特徴とする車両走行ライン演算装置。
【請求項２】
所定の道路における車両の走行ラインを演算する車両走行ライン演算方法において、
所定の道路設計ツールにより作成された道路データに基づき、道路に含まれるコーナを検出するステップと、
検出されたコーナにおけるアウト・イン・アウト走行路を演算するステップと、
上記隣接するコーナに関して、演算されたアウト・イン・アウト走行路を連結する走行路を演算するステップと、を有していることを特徴とする車両走行ライン演算方法。
【請求項３】
所定の道路における車両の走行ラインを演算する車両走行ライン演算装置に、
所定の道路設計ツールにより作成された道路データに基づき、道路に含まれるコーナを検出する手順と、
検出されたコーナにおけるアウト・イン・アウト走行路を演算する手順と、
上記隣接するコーナに関して、演算されたアウト・イン・アウト走行路を連結する走行路を演算する手順と、を実行させる車両走行ライン演算プログラム。
【発明の詳細な説明】
【技術分野】
【０００１】
この発明は、道路における車両の走行ラインを演算するための車両走行ライン演算装置及び方法並びにプログラムに関する。
【背景技術】
【０００２】
従来、例えば安全走行，低燃費走行，レース走行等の各種走行に応じて、道路における車両の走行ラインを決定する技術が知られている。かかる技術としては、例えば、道路を実際に走行し、各種センサやＧＰＳ等により計測された結果に基づき、走行ラインを決定する方法（例えば特許文献１参照）がある。また、形状や道幅等の道路の設計情報に基づき、走行ラインを決定する方法が知られている。
【０００３】
【特許文献１】特開２００６−０３１６０２号公報
【発明の開示】
【発明が解決しようとする課題】
【０００４】
ところで、近年では、コンピュータ上で車両をモデル化し、車両の走行状態を解析する車両走行シミュレーション技術が知られている。かかる技術では、例えば、特定の道路情報を与え、その道路における安全で低燃費の車両走行を実現する走行ラインを演算することが行われるが、この場合に、道路情報として、実測データに忠実な情報が用いられれば、より有用な走行ラインの演算結果を得ることが期待できる。例えば自動操舵走行を行う場合に、安全で低燃費の車両走行を実現すべく予め車両の走行ラインを演算しておくことが考えられるが、かかる演算に際して、実測データに忠実な道路情報を用いれば、より有用な走行ラインとなり得る。
【０００５】
この発明は、上記技術的課題に鑑みてなされたもので、安全で低燃費の車両走行を実現する有用な走行ラインを演算し得る車両走行ライン演算装置及び方法並びにプログラムを提供することを目的とする。
【課題を解決するための手段】
【０００６】
そこで、本願の請求項１に係る発明は、所定の道路における車両の走行ラインを演算する車両走行ライン演算装置において、所定の道路設計ツールにより作成された道路データに基づき、道路に含まれるコーナを検出するコーナ検出手段と、上記コーナ検出手段により検出されたコーナにおけるアウト・イン・アウト走行路を演算するアウト・イン・アウト走行路演算手段と、上記隣接するコーナに関して、上記アウト・イン・アウト走行路演算手段により演算されたアウト・イン・アウト走行路を連結する走行路を演算する連結走行路演算手段と、を有していることを特徴としたものである。
【０００７】
また、本願の請求項２に係る発明は、所定の道路における車両の走行ラインを演算する車両走行ライン演算方法において、所定の道路設計ツールにより作成された道路データに基づき、道路に含まれるコーナを検出するステップと、検出されたコーナにおけるアウト・イン・アウト走行路を演算するステップと、上記隣接するコーナに関して、演算されたアウト・イン・アウト走行路を連結する走行路を演算するステップと、を有していることを特徴としたものである。
【０００８】
更に、本願の請求項３に係る発明は、所定の道路における車両の走行ラインを演算する車両走行ライン演算装置に、所定の道路設計ツールにより作成された道路データに基づき、道路に含まれるコーナを検出する手順と、検出されたコーナにおけるアウト・イン・アウト走行路を演算する手順と、上記隣接するコーナに関して、演算されたアウト・イン・アウト走行路を連結する走行路を演算する手順と、を実行させる車両走行ライン演算プログラムである。
【発明の効果】
【０００９】
本願発明によれば、車両走行ライン演算に際して用いる道路データとしてＣＡＤデータを採用することで、実測に近い高精度データに基づき道路を再現することができ、それを用いて、安全で低燃費の車両走行を実現する有用な走行ラインを演算することができる。このように演算された車両走行ラインは、例えばＧＰＳ（Global Positioning System）と連携させることにより、車両の自動操舵走行に適用可能であり、これにより、安全で低燃費を実現する自動車両走行を実現することができる。また、実測に近い高精度データに基づき再現された道路を用いて車両走行試験を実行することができるため、路面状態の影響を反映した試験結果を出力することができ、その試験結果に応じて、路面状態を改善するように対処することができる。
【発明を実施するための最良の形態】
【００１０】
以下、本発明の実施形態について、添付図面を参照しながら説明する。
図１は、本発明の実施形態に係る車両走行ライン演算機能を備えた車両走行仮想試験システムの基本構成を示す図である。この車両走行仮想試験システム１は、例えば車両を駆動輪が駆動可能であるように台上に設置した上で車両の走行テストを行う従来方法に対し、車両を複数の部品からなる実体として扱い、車両を構成する部品をシステム要素としてモデル化し、システム要素から車両モデルを構築した上で、その車両モデルを用いて車両の走行テストを仮想的に行うものであり、基本的には、車両走行試験に際して用いられる車両の走行ラインを演算する車両走行ライン演算ツール２と、車両走行の仮想試験を実行する車両走行仮想試験ツール３と、仮想試験に伴い車両走行の様子を仮想試験と並行して又は仮想試験後にモニタに表示する車両走行描画ツール４と、オペレータの要求に応じて、仮想試験に用いられる道路データを提供する道路設計ツール５（ここではＣＡＤ）と、を有している。
【００１１】
本実施形態では、全てのツールが、パーソナルコンピュータにて動作するソフトウェアとして構築されるが、これに限定されず、それぞれ対応する機能を備えたハードウェアとして構築されてもよい。
【００１２】
ここで、走行ライン演算ツール２は、走行ラインを演算する上で、車幅，トレッド幅，ホイールベース等の車両形状に関するデータ、高速走行，最短距離等の走行条件に関するデータを用いる。また、仮想試験ツール３は、仮想試験を実行する上で、車両の性能スペックに関するデータ，安全走行，タイム優先，燃費優先等の運転条件に関するデータ，路面μ，気温，風向き，標高，気圧等の環境条件に関するデータ，車両の実験データを用いる。
【００１３】
以下では、図２〜７のフローチャートを参照しながら、仮想試験システム１による車両走行シミュレーション処理について説明する。図２は、車両走行シミュレーション処理の基本的な流れについてのフローチャートである。この処理では、まず、シミュレーション対象となる車両に対応したモデルを作成するとともに、車両に関連した性能情報を提供するための車両関連処理が実行される（＃１０）。次に、道路データとして新規のＣＡＤデータ又は既存データを提供するための道路データ関連処理が実行される（＃２０）。その後、走行ラインを設定する各種条件を入力するための走行ライン関連処理が実行され（＃３０）。
【００１４】
次に、ステップ＃１０，２０，３０で取得された情報に加え、道路幅，コーナＲ，車幅，コーナ前後の直線路の長さ等の情報に基づき、コーナにおける走行ラインが演算され（＃４０）、続いて、道路全体の走行ラインが演算され（＃５０）、走行ラインデータの出力ファイルの変換が行なわれる（＃６０）。その後、運転操作及び環境条件に関する情報を設定するための運転操作・環境条件関連処理が実行され（＃７０）、その上で、車両走行シミュレーションが実行される（＃８０）。なお、ステップ＃４０及び５０におけるコーナにおける走行ライン及び道路全体の走行ラインの演算については、図１２以降を参照しながら詳しく後述する。
【００１５】
続いて、走行描画処理が実行される（＃９０）。なお、かかる走行描画処理については、ステップ＃８０の車両走行シミュレーション後に限らず、車両走行シミュレーションと並行して行われてもよい。そして、最後に、シミュレーション結果の解析が行われ（＃１００）、例えば走行タイム，燃費，目標走行ラインからの誤差が求められたり、運転操作へのフィードバックが行われたりする。以上で処理が終了される。
【００１６】
次に、図２中のステップ＃１０，＃２０，＃３０，＃７０及び＃９０の各処理について詳細に説明する。図３は、車両関連処理（図２中のステップ＃１０）についてのフローチャートである。この処理では、まず、シミュレーション対象となる車両の種類（例えば、大型，小型，４ＷＤなど）が選択されたか否かが判断され（＃１１）、その結果、未選択と判断された場合には、ステップ＃１１が繰り返され、他方、既に選択されたと判断された場合には、選択された車両に対応したモデルの計算式が求められる（＃１２）。
【００１７】
ステップ＃１２の後、車両の性能スペックが入力されたか否かが判断され（＃１３）、未入力と判断された場合には、ステップ＃１３が繰り返され、他方、既に入力されたと判断された場合には、図２のメインフローにリターンする。
【００１８】
なお、特に図示しないが、図２中のステップ＃８０において、車両走行シミュレーションを実行するには、車両関連処理として、車両の実験データが入力されてもよく、その場合には、図２中のステップ＃４０，＃５０及び＃６０を省略することができる。
【００１９】
次に、図４は、道路データ関連処理（図２中のステップ＃２０）についてのフローチャートである。この処理では、まず、新規の設計であるか否かが判断され（＃２１）、新規の設計であると判断された場合には、道路設計ツール（ＣＡＤ）５による設計（＃２２）が新規に行われ、ＣＡＤデータが作成される（＃２３）。他方、ステップ＃２１において、新規の設計でないと判断された場合には、続いて、例えば既存道路やサーキットコース等の既存のＣＡＤデータが選択されたか否かが判断され（＃２４）、その結果、未選択と判断された場合には、ステップ＃２４が繰り返され、他方、既に選択されたと判断された場合には、データが抽出される（＃２５）。
【００２０】
ステップ＃２３又は＃２５の後、作成された若しくは抽出されたＣＡＤデータが入力されたか否かが判断され（＃２６）、未入力と判断された場合には、ステップ＃２６が繰り返され、他方、既に入力されたと判断された場合には、図２のメインフローにリターンする。
【００２１】
続いて、図５は、走行ライン関連処理（図２中のステップ＃３０）についてのフローチャートである。この処理では、まず、走行ラインの種類（例えば、最短距離走行，中央走行，高速走行など）が選択されたか否かが判断され（＃３１）、その結果、未選択と判断された場合には、ステップ＃３１が繰り返され、他方、既に選択されたと判断された場合には、続いて、走行ラインを決定するための経験則が入力されたか否かが判断される（＃３２）。その結果、未入力と判断された場合には、ステップ＃３２が繰り返され、他方、既に入力されたと判断された場合には、図２のメインフローにリターンする。
【００２２】
また、図６は、運転操作・環境条件関連処理（図２中のステップ＃７０）についてのフローチャートである。この処理では、まず、走行タイプの種類（例えば、タイム優先走行，燃費優先走行，安全走行など）が選択されたか否かが判断され（＃７１）、その結果、未選択と判断された場合には、ステップ＃７１が繰り返され、他方、既に選択されたと判断された場合には、続いて、例えば路面μ，気温，風向き，標高，気圧等の環境条件が入力されたか否かが判断される（＃７２）。その結果、未入力と判断された場合には、ステップ＃７２が繰り返され、他方、既に入力されたと判断された場合には、図２のメインフローにリターンする。
【００２３】
更に、図７は、走行描画処理（図２中のステップ＃９０）についてのフローチャートである。この処理では、まず、道路走行描画のための演算が実行され（＃９１）、その後、走行描画が行われる（＃９２）。続いて、リアルタイムデータが入力されたか否かが判断され、未入力と判断された場合には、ステップ＃９３が繰り返され、他方、既に入力されたと判断された場合には、続いて、走行挙動変化の描写が行われる（＃９４）。以上で図２のメインフローにリターンする。
【００２４】
本実施形態では、図６中のステップ＃４０及び５０において、コーナにおける走行ライン及び道路全体の走行ラインとして、最適走行ラインが演算される。この「最適走行ライン」とは、図８に示すように、破線Ｓで示すような軌跡を描くもので、車両Ｖが道路Ｔの形状に沿って走行するのでなく、概して、各コーナにて内側寄りに走行することで実現される。かかる走行ラインが実現されることにより、車両Ｖは、例えば最小限のハンドル操作，高速及び最短距離で走行することができる。本車両走行ライン演算ツール２による走行ラインの演算には、基本要素として、図９に示すように、有効道幅ｄ１，車両Ｖの左右車輪間のトレッド幅ｄ２，車幅ｄ３，路肩からの安全距離ｄ４を含む車両Ｖ及び道路Ｔの情報が用いられる。
【００２５】
加えて、本車両走行ライン演算ツール２による走行ラインＳの演算には、コーナを含む道路の情報が必要であるが、本実施形態では、図４を参照しながら説明したように、道路情報として、道路設計ツール５により作成されたＣＡＤデータが採用される。具体的には、図１０を参照して説明するように道路が定義され、かかる定義に基づき所定の道路をあらわすＣＡＤデータが取得される。図１０は、コーナを含む道路を定義するための要素をあらわす図である。ここでは、道路Ｔを定義するために、道路幅ｄ１，各コーナの曲率半径Ｒ１，Ｒ２，Ｒ３，路肩位置，各コーナ間の直線路の中心線Ｃ１〜Ｃ４の交点ＩＰ１，ＩＰ２，ＩＰ３，中心線Ｃ１〜Ｃ４の交差角度（道路公角）θ１，θ２，θ３が用いられる。また、各コーナについては、中心線に対応した曲率半径Ｒ１，Ｒ２，Ｒ３とともに、内径及び外径が用いられる。図１０では、曲率半径Ｒ２に関連した内径Ｒ２ａ及び外径Ｒ２ｂのみ示される。また、交点ＩＰ１，ＩＰ２，ＩＰ３を介して接続される中心線Ｃ１〜Ｃ４の始点ＢＰ及び終点ＥＰが、それぞれ、中心線Ｃ１の前端側及び中心線Ｃ４の後端側に設定される。
【００２６】
ところで、道路設計技術において、コーナとしては、単曲線からなるコーナ（以下、「単曲線コーナ」という）以外に、直線路と単曲線コーナとの間にクロソイド曲線などの緩和曲線が挿入されて構成されるコーナが一般に知られている。周知の通り、かかるクロソイド曲線を挿入することで、車両が直線路からコーナに進入するに際し、ドライバによるハンドル操作をスムーズにすることができる。図１１は、クロソイド曲線を定義するための要素をあらわす図である。ここで、Ｃ１，Ｃ２はコーナ前後の直線路に対応した中心線であり、ＩＰ１はＣ１とＣ２との交点あらわす。クロソイド曲線は、コーナにおいて車両の速度が一定でありかつハンドルを切る速度（角速度）が一定である場合に車両の描く軌跡であり、次式であらわされる。
Ｒ×ＣＬ＝Ａ２
ここで、Ｒは単曲線コーナの曲率半径，ＣＬは曲線長，Ａはクロソイドパラメータである。一般に、Ｒ／３≦Ａ≦Ｒである。
【００２７】
また、クロソイド曲線方程式は次式の通りである。なお、実際の座標計算には変形が必要である。
【数１】
2008171114.tif 000003
【００２８】
以下、本車両走行ライン演算ツール１により実行される各種道路における最適走行ラインの演算処理について説明する。
図１２は、最適走行ラインの演算処理の基本的な流れを示すフローチャートである。この処理では、まず、道路に含まれるコーナが検出される（＃１０１）。続いて、検出されたコーナに関して、アウト・イン・アウト走行ラインが演算される（＃１０２）。なお、ここでは、単曲線コーナとクロソイド曲線を含むコーナとが識別され、それぞれ適切なアウト・イン・アウト走行ラインが演算される。その後、隣接するコーナに関して演算されたアウト・イン・アウト走行ラインを連結する連結走行ラインが演算される（＃１０３）。以上で処理が終了され、最適走行ラインが求まる。
【００２９】
図１３は、図１２のステップ＃１０２で演算される単曲線コーナにおけるアウト・イン・アウト走行ラインを概略的に示す図である。なお、ここでは、単曲線に対する進入及び脱出側の直線路は十分に長いものとする。道幅ｄ１，車幅ｄ３，道路公角θ１〜３，曲率半径Ｒ１等の情報に基づき、走行ラインＳが演算可能である。
【００３０】
また、図１４は、図１２のステップ＃１０２で演算されるクロソイド曲線を備えたコーナにおけるアウト・イン・アウト走行ラインを概略的に示す図である。ここでは、道路公角θ１や単曲線コーナの曲率半径Ｒ１，ＣＬの元データ（中心線のデータ）に基づき、新しいＳｘ，ＣＬｘが決定される。また、それら元データから何らかの方法で経験的に決定されてもよい。
【００３１】
続いて、本車両走行ライン演算ツール１により演算された複数の（ここでは２つの）単曲線コーナを経由する走行ラインについて説明する。
【００３２】
図１５は、同一方向にカーブする２つの単曲線コーナと、それらコーナ間における所定以上の距離の直線路とからなる道路Ｔに設定される最適走行ラインの一例を概略的に示す図である。複数のコーナが連続する道路については、最適走行ラインの演算に際して、各コーナにおけるアウト・イン・アウト走行ラインの連結を工夫する必要があるが、同一方向にカーブする単曲線コーナにおけるアウト・イン・アウト走行ラインの連結は、直線走行ラインＬを挟むことにより比較的容易に可能である。これにより、最適走行ラインＳが取得される。
【００３３】
また、図１６は、異なる方向にカーブにする２つの単曲線コーナと、それらコーナ間における所定以上の距離の直線路とからなる道路Ｔに設定される最適走行ラインの一例を概略的に示す図である。異なる方向にカーブする単曲線コーナにおけるアウト・イン・アウト走行ラインの連結方法としては、例えば、各コーナにおけるアウト・イン・アウト走行ラインＳ１及びＳ２を延長して直線で連結する方法，各コーナにおけるアウト・イン・アウト走行ラインＳ１及びＳ２のそれぞれのカーブの終わりから補間計算する方法等が考えられる。
【００３４】
なお、互いに十分でない距離の直線路を介して接続され、同一方向又は異なる方向にカーブする単曲線コーナを含む道路Ｔにおける最適走行ラインを演算することは困難である。まず、同一方向にカーブする単曲線コーナを含む道路Ｔに関しては、図１７に示すように、各コーナにおける走行ラインの最大Ｒが重なるため、両走行ラインＳ１，Ｓ２を連結することが困難である。他方、異なる方向にカーブする単曲線コーナを含む道路Ｔに関しても、図１８に示すように、ＩＰ１，ＩＰ２の座標，各道路公角θ１，θ２に基づき、最適走行ラインＳを演算することが困難である。
【００３５】
続いて、クロソイド曲線を備えたコーナを含む道路について考慮する。図１９は、所定以上の距離の直線路Ｃ２を介して互いに接続され、同一方向にカーブするクロソイド曲線を備えたコーナを含む道路における最適走行ラインの一例を概略的に示す図である。この場合には、各クロソイド曲線を決定すれば、直線で結ぶことはできる。
【００３６】
また、図２０は、所定以上の距離の直線路Ｃ２を介して接続され、異なる方向にカーブするクロソイド曲線を備えたコーナにおける最適走行ラインの一例を概略的に示す図である。この場合には、演算ルールを決定すれば可能である。
【００３７】
なお、所定未満の距離の直線路を介して接続され、同一方向又は異なる方向にカーブするクロソイド曲線を備えたコーナを含む道路Ｔにおける最適走行ラインを演算することは困難である。まず、図２１に示すような同一方向にカーブする単曲線コーナを含む道路Ｔに関しては、難易度が高く、演算ルールの設定が困難である。他方、図２２に示すような異なる方向にカーブする単曲線コーナを含む道路Ｔに関しては、難易度が高い。
【００３８】
前述した例では、２次元平面で定義される道路における車両走行ラインが演算されたが、これに限定されることなく、３次元空間で定義される道路における車両走行ラインを演算することも可能である。この場合には、２次元的な走行ライン演算と比較して、より多くの要素が追加されて考慮される。
【００３９】
例えば、図２３に示すように、直線路に関しては、排水の都合上設けられ、センターラインから左右外側に向かうにつれ路面高が低くなる横断勾配（例えば約２°の勾配）が考慮される。また、図２４に示すように、カーブに関しては、内周に近付くにつれ路面高が低くなる横断勾配（例えばδの勾配）が考慮される。これらの横断勾配に加え、図２５に示すように、縦断勾配が考慮される。
【００４０】
本実施形態では、かかる３次元空間における走行ラインＳの演算（以下、「３次元演算」という）において、道路中心からのＺ座標が考慮される。また、必要に応じて、車両の４つの車輪の位置が考慮される。なお、３次元空間におけるアウト・イン・アウト走行ラインの演算結果は、２次元平面におけるアウト・イン・アウト走行ラインと等しくならない場合もある。
【００４１】
３次元演算は、２次元平面における走行ラインＳの演算（以下、「２次元演算」という）と同様の流れで実行される。すなわち、まず、単曲線コーナ及びクロソイド曲線を備えたコーナのアウト・イン・アウト走行ラインの演算が実行される。この演算は、２次元平面を最大Ｒにすることで可能である。続いて、隣接するコーナを連結する走行ラインが演算される。
【００４２】
特に図示しないが、２つの単曲線コーナを含む道路における走行ライン演算ツール２による最適走行ラインの３次元演算は、図１５〜１８を参照しつつ前述した２次元演算と同様に、単曲線コーナが所定以上の長さの直線路を介して接続される場合には可能であるが、単曲線が所定未満の長さの直線路を介して接続される場合には困難である。他方、それぞれクロソイド曲線を備えた２つのコーナを含む道路における走行ライン演算ツール２による最適走行ラインの３次元演算も、図１９〜２２を参照しつつ前述した２次元演算と同様に、単曲線コーナが所定以上の長さの直線路を介して接続される場合には可能であるが、単曲線が所定未満の長さの直線路を介して接続される場合には困難である。
【００４３】
以上の説明から明らかなように、道路データとしてＣＡＤデータを用いることで、実測に近い高精度データに基づき道路を再現することができ、それを用いて、例えば熟練ドライバが辿るだろう安全で低燃費の車両走行を実現する有用な走行ラインを演算することができる。このように演算された車両走行ラインは、例えばＧＰＳと連携させることにより、車両の自動操舵走行に適用可能であり、これにより、安全で低燃費を実現する自動車両走行を実現することができる。また、実測に近い高精度データに基づき再現された道路を用いて車両走行試験を実行することができるため、路面状態の影響を反映した試験結果を出力することができ、その試験結果に応じて、路面状態を改善するように対処することができる。
【００４４】
なお、本発明は、例示された実施形態に限定されるものでなく、本発明の要旨を逸脱しない範囲において、種々の改良及び設計上の変更が可能であることは言うまでもない。
【図面の簡単な説明】
【００４５】
【図１】本発明の実施形態に係る車両走行ライン演算機能を備えた車両走行仮想試験システムを概略的に示すブロック図である。
【図２】車両走行シミュレーション処理の基本的な流れについてのフローチャートである。
【図３】車両関連処理（図２中のステップ＃１０）についてのフローチャートである。
【図４】道路データ関連処理（図２中のステップ＃２０）についてのフローチャートである。
【図５】走行ライン関連処理（図２中のステップ＃３０）についてのフローチャートである。
【図６】運転操作・環境条件関連処理（図２中のステップ＃７０）についてのフローチャートである。
【図７】走行描画処理（図２中のステップ＃９０）についてのフローチャートである。
【図８】所定の道路における最適走行ラインの一例を概略的に示す説明図である。
【図９】走行ラインを演算する要素として用いられる有効道幅，車両の左右車輪輪間のトレッド幅，車幅，路肩からの安全距離を含む車両及び道路に関する情報をあらわす図である。
【図１０】コーナを含む道路を定義するための要素をあらわす図である。
【図１１】クロソイド曲線を定義するための要素をあらわす図である。
【図１２】最適走行ラインの演算処理の基本的な流れを示すフローチャートである。
【図１３】単曲線コーナにおけるアウト・イン・アウト走行ラインを概略的に示す図である。
【図１４】クロソイド曲線を備えたコーナにおけるアウト・イン・アウト走行ラインを概略的に示す図である。
【図１５】同一方向にカーブする２つの単曲線コーナと、それらコーナ間における所定以上の距離の直線路とからなる道路に設定される最適走行ラインの一例を概略的に示す図である。
【図１６】異なる方向にカーブにする２つの単曲線コーナと、それらコーナ間における所定以上の距離の直線路とからなる道路に設定される最適走行ラインの一例を概略的に示す図である。
【図１７】同一方向にカーブする２つの単曲線コーナと、それらコーナ間における所定未満の距離の直線路とからなる道路を概略的に示す図である。
【図１８】異なる方向にカーブする２つの単曲線コーナと、それらコーナ間における所定未満の距離の直線路とからなる道路を概略的に示す図である。
【図１９】同一方向にカーブするクロソイド曲線を備えた２つのコーナと、それらコーナ間における所定以上の距離の直線路とからなる道路に設定される最適走行ラインの一例を概略的に示す図である。
【図２０】異なる方向にカーブするクロソイド曲線を備えた２つのコーナと、それらコーナ間における所定以上の距離の直線路とからなる道路に設定される最適走行ラインの一例を概略的に示す図である。
【図２１】同一方向にカーブするクロソイド曲線を備えた２つのコーナと、それらコーナ間における所定未満の距離の直線路とからなる道路を概略的に示す図である。
【図２２】異なる方向にカーブするクロソイド曲線を備えた２つのコーナと、それらコーナ間における所定未満の距離の直線路とからなる道路を概略的に示す図である。
【図２３】左右外側に向かうにつれ路面高が低くなる横断勾配が設けられた直線路を概略的に示す図である。
【図２４】内周に近付くにつれ路面高が低くなる横断勾配が設けられたカーブを概略的に示す図である。
【図２５】縦断勾配を概略的に示す図である。
【符号の説明】
【００４６】
１…車両走行仮想試験システム，２…車両走行ライン演算ツール，３…車両走行仮想試験ツール，４…車両走行描画ツール，５…道路設計ツール，Ｃ１，Ｃ２，Ｃ３，Ｃ４…中心線，ｄ１…車幅，ｄ２…トレッド幅，ｄ３…車幅，ＩＰ１，ＩＰ２，ＩＰ３…交点，Ｌ…直線走行ライン，Ｒ，Ｒ１，Ｒ２，Ｒ３…曲率半径，Ｓ…最適走行ライン，Ｔ…道路，Ｖ…車両，θ１，θ２，θ３…道路公角。
【図１】
2008171114.tif 000004
【図２】
2008171114.tif 000005
【図３】
2008171114.tif 000006
【図４】
2008171114.tif 000007
【図５】
2008171114.tif 000008
【図６】
2008171114.tif 000009
【図７】
2008171114.tif 000010
【図８】
2008171114.tif 000011
【図９】
2008171114.tif 000012
【図１０】
2008171114.tif 000013
【図１１】
2008171114.tif 000014
【図１２】
2008171114.tif 000015
【図１３】
2008171114.tif 000016
【図１４】
2008171114.tif 000017
【図１５】
2008171114.tif 000018
【図１６】
2008171114.tif 000019
【図１７】
2008171114.tif 000020
【図１８】
2008171114.tif 000021
【図１９】
2008171114.tif 000022
【図２０】
2008171114.tif 000023
【図２１】
2008171114.tif 000024
【図２２】
2008171114.tif 000025
【図２３】
2008171114.tif 000026
【図２４】
2008171114.tif 000027
【図２５】
2008171114.tif 000028